(57)【要約】【課題】デザイン上の影響が少なく、音抜けのよいハウジングを有する携帯電子機器を提供する。【解決手段】携帯電話機１は、第６放音孔２７が形成されたハウジング３と、ハウジング３内に設けられ、第６放音孔２７を介して音響の出力を行う第２スピーカ３５と、ハウジング３の外側面に設けられ、周縁部２１ａにより第６放音孔２７の一部のみを覆う外装部材２１とを有する。【選択図】図６
2009290561.tif 000002
【特許請求の範囲】
【請求項１】
音孔が形成されたハウジングと、
前記ハウジング内に設けられ、前記音孔を介して音響の出力及び入力の少なくとも一方を行う電気音響変換部と、
前記ハウジングの外側面に設けられ、周縁部により前記音孔の一部のみを覆う外装部材と、
を有する携帯電子機器。
【請求項２】
前記外装部材は、前記音孔を下方に向けて前記ハウジングを平面に載置したときに前記音孔を前記平面から離間させるように前記ハウジングを支持する突部を構成している
請求項１に記載の携帯電子機器。
【請求項３】
前記音孔は、スリットであり、
前記外装部材は、前記スリットの長手方向に沿って延びる前記周縁部により前記スリットの短手方向の一方側の部分を覆う
請求項１又は２に記載の携帯電子機器。
【請求項４】
前記外装部材の前記周縁部は、前記スリットの短手方向の前記一方側の部分に挿入されている
請求項３に記載の携帯電子機器。
【請求項５】
前記ハウジングは、前記スリットが前記ハウジングの内部側よりも外部側において幅広となる段部を有し、
前記外装部材の前記周縁部は、前記ハウジングの外部側から内部側へ前記段部に突き当てられている
請求項４に記載の携帯電子機器。
【請求項６】
前記ハウジングは、
前記電気音響変換部と対向する対向部と、
前記対向部と一体成形され、前記対向部から当該ハウジングの内部へ伸び、先端側に前記電気音響変換部を係合して把持する爪部が形成された係止部と、
を有し、
前記対向部には、前記爪部に対向する開口部が形成されており、
前記外装部材は、前記開口部を覆っている
請求項１から５のいずれか１項に記載の携帯電子機器。
【請求項７】
前記開口部は、前記爪部を一体成形するときの押し切り穴である
請求項６に記載の携帯電子機器。
【請求項８】
前記ハウジングの内部に設けられる撮像部を有し、
前記ハウジングには、前記撮像部を露出させる撮影窓が形成され、
前記外装部材は、透光部を有し、当該透光部が前記撮影窓を覆うように前記ハウジングに取り付けられている
請求項１から７のいずれか１項に記載の携帯電子機器。
【発明の詳細な説明】
【技術分野】
【０００１】
本発明は、携帯電話機、デジタルカメラ、ＰＤＡ（Ｐｅｒｓｏｎａｌ  Ｄｉｇｉｔａｌ  Ａｓｓｉｓｔａｎｔ）、ゲーム機等の携帯電子機器に関する。
【背景技術】
【０００２】
スピーカ等の電気音響変換部を有する携帯電子機器が知られている（例えば特許文献１及び２）。このような携帯電子機器では、電気音響変換部とハウジング外部との音抜けを良くするために、ハウジングに音孔が形成されることが一般的である。
【特許文献１】特開２００４−８０３８９号公報
【特許文献２】特開２００５−９４６３１号公報
【発明の開示】
【発明が解決しようとする課題】
【０００３】
しかし、音孔は、ハウジングのデザイン性を損なうおそれがある。例えば、樹脂により一色成形されたハウジングの平面部に音孔が形成されると、音孔が目立ってしまう。さらに、音孔を目立たないように、音孔の大きさ及び／又は形状を適切に設定しようとしても、所望の大きさ及び／又は形状の音孔を形成することが困難な場合がある。例えば、射出成形によりハウジングを形成すると同時に、金型に形成された突部により音孔を形成する場合、金型の突部は、ある程度の強度が確保される必要性等から、薄くしたり細くしたりすることに限界がある。その結果、音孔の小型化にも限界が生じる。
【０００４】
本発明の目的は、デザイン上の影響が少なく、音抜けのよいハウジングを有する携帯電子機器を提供することにある。
【課題を解決するための手段】
【０００５】
本発明の携帯電子機器は、音孔が形成されたハウジングと、前記ハウジング内に設けられ、前記音孔を介して音響の出力及び入力の少なくとも一方を行う電気音響変換部と、前記ハウジングの外側面に設けられ、周縁部により前記音孔の一部のみを覆う外装部材と、を有する。
【０００６】
好適には、前記外装部材は、前記音孔を下方に向けて前記ハウジングを平面に載置したときに前記音孔を前記平面から離間させるように前記ハウジングを支持する突部を構成している。
【０００７】
好適には、前記音孔は、スリットであり、前記外装部材は、前記スリットの長手方向に沿って延びる前記周縁部により前記スリットの短手方向の一方側の部分を覆う。
【０００８】
好適には、前記外装部材の前記周縁部は、前記スリットの短手方向の前記一方側の部分に挿入されている。
【０００９】
好適には、前記ハウジングは、前記スリットが前記ハウジングの内部側よりも外部側において幅広となる段部を有し、前記外装部材の前記周縁部は、前記ハウジングの外部側から内部側へ前記段部に突き当てられている。
【００１０】
好適には、前記ハウジングは、前記電気音響変換部と対向する対向部と、前記対向部と一体成形され、前記対向部から当該ハウジングの内部へ伸び、先端側に前記電気音響変換部を係合して把持する爪部が形成された係止部と、を有し、前記対向部には、前記爪部に対向する開口部が形成されており、前記外装部材は、前記開口部を覆っている。
【００１１】
好適には、前記開口部は、前記爪部を一体成形するときの押し切り穴である。
【００１２】
好適には、前記ハウジングの内部に設けられる撮像部を有し、前記ハウジングには、前記撮像部を露出させる撮影窓が形成され、前記外装部材は、透光部を有し、当該透光部が前記撮影窓を覆うように前記ハウジングに取り付けられている。
【発明の効果】
【００１３】
本発明によれば、デザイン上の影響が少なく、音抜けのよいハウジングを有する携帯電子機器を提供できる。
【発明を実施するための最良の形態】
【００１４】
図１は、本発明の実施形態に係る携帯電話機１を正面側から見た斜視図である。図２は、携帯電話機１を背面側から見た斜視図である。図３は、携帯電話機１の側面図である。
【００１５】
携帯電話機１は、いわゆるストレートタイプの携帯電話機により構成されており、一のハウジング３を有している。ハウジング３は、例えば、薄型直方体状に形成されている。なお、以下では、ハウジング３の図１の紙面上方側の面を正面部３ａ、その背面側を背面部３ｂということがある。また、図１の紙面上方側、下方側、左上側、右下側を、それぞれ、正面側、背面側、上方側、下方側ということがある。
【００１６】
ハウジング３は、例えば、正面部３ａ側を構成するフロントケース５と、背面部３ｂを構成するリアケース７及びリッド９（図２）とを有している。フロントケース５、リアケース７及びリッド９は、例えば、それぞれ樹脂により構成されている。フロントケース５及びリアケース７は、例えば、不図示のネジにより互いに固定されている。フロントケース５及びリアケース７との間には、例えば、不図示の回路基板やシールドケースが挟持されている。リッド９は、例えば、不図示の係合部によりリアケース７に固定されている。リッド９は、不図示のバッテリーをハウジング３内に挿脱するためのものである。
【００１７】
ハウジング３には、種々の電子部品等が設けられている。例えば、ハウジング３には、正面部３ａの上方側において開口する第１放音孔３ｇ（図１）から音響を出力する通話用の第１スピーカ８３（図９参照）、正面部３ａの下方側において開口する収音孔３ｈ（図１）から音響が入力される通話用のマイクロフォン８７（図９参照）、正面部３ａ側からユーザの操作を受け付ける操作部１１（図１）、正面部３ａ側に画像を表示する表示部１３（図１）、背面部３ｂ側に開口する複数の第２放音孔１５（図２）及び第３放音孔１７（図２）から音響を出力する多目的の第２スピーカ３５（図６参照）、並びに、背面部３ｂ側に設けられた透光部１９（図２）を介して被写体を撮像する撮像部８９（図９参照）が設けられている。
【００１８】
第２スピーカ３５は、例えば、着信の有無を報知する報知音、操作部１１に対して操作がなされたことを確認するための効果音、及び／又は、携帯電話機１に記録された楽曲の再生音の出力に利用される。従って、第２スピーカ３５は、携帯電話機１がユーザの耳から離された状態で、比較的大きな音響を第２放音孔１５及び第３放音孔１７を介してハウジング３外部へ出力することが要求される。
【００１９】
ハウジング３の背面部３ｂの外側面には、外装部材２１（図２及び図３）が設けられている。ハウジング３及び外装部材２１により、携帯電話機１全体のハウジングが構成されている。第２放音孔１５及び透光部１９は、外装部材２１に配置されている。第３放音孔１７は、外装部材２１に隣接して配置されている。なお、透光部１９は、外装部材２１の一部として捉えられてもよいが、以下では、説明の便宜上、外装部材２１は透光部１９を含まないものとする。
【００２０】
外装部材２１は、例えば、樹脂を金型に充填する射出成形により一体成形されている。外装部材２１は、例えば、不図示の係合部によりリアケース７に係合されたり、接着剤又は両面テープ等の接着部材４５（図６参照）が外装部材２１とリアケース７との間に配置されたりすることにより、リアケース７に固定されている。
【００２１】
外装部材２１は、ハウジング３の背面部３ｂよりも背面側へ突出している。また、外装部材２１は、携帯電話機１の不図示の重心に対して上方側に位置している。従って、携帯電話機１は、図３に示すように、背面側を下方（図３では紙面上方側）に向けて平面状の載置面ＰＳ１に載置されると、外装部材２１と、ハウジング３の背面部３ｂの下方側角部により構成される支持部３ｐとにより支持される。その結果、ハウジング３の、外装部材２１と支持部３ｐとの間の部分は、載置面ＰＳ１から離間する。なお、比較面ＰＳ２は、背面部３ｂに平行で、外装部材２１の下方側の表面に位置する平面であり、載置面ＰＳ１に載置された携帯電話機１の傾斜を示すために図示されている。
【００２２】
図４は、外装部材２１付近を拡大して示す平面図（背面図）である。図５は、リアケース７から外装部材２１等を取り外して示す斜視図である。なお、図５では、リアケース７から、リアケース７の背面部３ｂの上方側部分を構成するパネル部材７ｂ（図４）も取り外して示している。
【００２３】
複数の第２放音孔１５は、リアケース７に設けられた複数の第４放音孔２３（図５）と、外装部材２１に設けられ、複数の第４放音孔２３に対向する複数の第５放音孔２５（図４）とを含んで構成されている。複数の第２放音孔１５は、例えば、外装部材２１の配置領域において縦横に配列されている。第２放音孔１５の平面形状は、例えば、円形や矩形である。
【００２４】
第３放音孔１７は、リアケース７に設けられた第６放音孔２７（図５）と、外装部材２１の周縁部２１ａ（図４）とリアケース７との隙間とを含んで構成されている。周縁部２１ａとリアケース７との隙間は、例えば、周縁部２１ａに切り欠き部２９が設けられることにより形成されている。第３放音孔１７は、例えば、外装部材２１の支持部３ｐ（図３）側に配置されている。第３放音孔１７の平面形状は、例えば、外装部材２１の周縁部２１ａに沿う長尺状形状である。換言すれば、第３放音孔１７はスリットである。
【００２５】
リアケース７の、透光部１９（図４）に対向する位置には、撮影窓３１（図５）及びフラッシュ用開口部３３（図５）が設けられている。撮像部８９（図９参照）は、リアケース７内に撮影窓３１に対向して設けられる。被写体からの光は、透光部１９及び撮影窓３１を介してリアケース７内の撮像部８９に入射する。また、不図示のフラッシュ部は、リアケース７内にフラッシュ用開口部３３に対向して設けられ、フラッシュ用開口部３３及び透光部１９を介して被写体へ光を照射する。
【００２６】
図６は、図４のＶＩ−ＶＩ線における断面図である。図７は、図４のＶＩＩ−ＶＩＩ線における断面図である。
【００２７】
第２スピーカ３５は、例えば、外形が概ね円盤状に形成されており、一方の面（図６及び図７の紙面上方側の面）に放音面３５ａを有するとともに、その背面に不図示の端子を有している。第２スピーカ３５は、例えば、ダイナミックスピーカにより構成されており、特に図示しないが、端子に接続されたコイルと、コイルに挿通された永久磁石と、コイル又は永久磁石に固定された振動板とを有している。端子に入力された電気信号は、コイル、永久磁石及び振動板を介して空気の振動（すなわち音響）に変換されて、放音面３５ａから出力される。第２スピーカ３５は、ハウジング３内において、放音面３５ａを第２放音孔１５及び第３放音孔１７に対向させて配置されている。
【００２８】
放音面３５ａと、ハウジング３の内側面との間には、防塵部材３７が設けられている。防塵部材３７は、枠部３９と、枠部３９に張られたメッシュ部４１とを有している。枠部３９は、例えば、スポンジやゴム等の弾性部材により構成されており、放音面３５ａの外周部に当接している。メッシュ部４１は、例えば、可撓性の樹脂により形成されたメッシュ状のシートや繊維を織った布により構成され、第２放音孔１５及び第３放音孔１７に対向している。防塵部材３７により、第２放音孔１５及び第３放音孔１７から塵等がハウジング３内に侵入することが防止される。
【００２９】
リアケース７と外装部材２１との間であって、複数の第２放音孔１５が配置される領域には、目隠し部材４３が設けられている。目隠し部材４３は、例えば、メッシュ状の部材により形成され、リアケース７の外側面に接着剤や両面テープ等の接着部材により固定されている。目隠し部材４３を構成するメッシュ状の部材は、例えば、メッシュ部４１と同様に、可撓性の樹脂により形成されたメッシュ状のシートや繊維を織った布である。
【００３０】
目隠し部材４３は、例えば、第２放音孔１５がデザインに及ぼす影響を低減するためのものである。例えば、リアケース７の色と外装部材２１の色とが異なる場合において、外装部材２１に形成された第５放音孔２５を介してリアケース７の第４放音孔２３を形成している部分が視認されると、デザイン性が低下することがある。そこで、目隠し部材４３をリアケース７と同一の色とすることにより、そのような不都合が解決される。
【００３１】
なお、目隠し部材４３は、第５放音孔２５からハウジング３内に塵等が侵入することを防止する防塵部材としても機能する。ただし、目隠し部材４３は、防塵部材３７のメッシュ部４１よりも目が粗く構成されており、基本的には、防塵部材３７によりハウジング３内への塵等の侵入は防止される。なお、目隠し部材４３の目は、防塵部材３７の目と同等の粗さでもよいし、防塵部材３７の目よりも細かくてもよい。
【００３２】
外装部材２１は、第５放音孔２５が形成される平板状の基部２１ｂと、基部２１ｂの外周においてリアケース７側に屈曲する周縁部２１ａとを有している。一方、リアケース７の背面部３ｂを構成する面部には、平面視において周縁部２１ａに沿って延びる溝部７ｈ（図５も参照）が形成されている。外装部材２１は、周縁部２１ａが溝部７ｈに嵌合するようにリアケース７の外側面に取り付けられる。この際、周縁部２１ａの先端は、溝部７ｈの底部に対してハウジング３の外部側から内部側へ突き当てられる。また、基部２１ｂの内側面とリアケース７の外側面とは接着部材４５により接着される。なお、リアケース７の外側面のうち、第２放音孔１５の配置領域には、目隠し部材４３が配置される凹部が形成されている。基部２１ｂは、リアケース７の、第２放音孔１５の配置領域の外周部において、接着部材４５を介して支持されている。
【００３３】
第６放音孔２７は、溝部７ｈの、平面視において矩形を形成する４辺のうち、支持部３ｐ側（図６の紙面右側）の辺の一部が、抜け穴状に形成されることにより構成されており、溝部７ｈの一部を含んで構成されている（図５も参照）。そして、第６放音孔２７は、外装部材２１と支持部３ｐとの間において、外装部材２１の周縁部２１ａに沿う方向（外装部材２１から支持部３ｐへの方向へ直交する方向）に延びるスリット状に形成されている。
【００３４】
第６放音孔２７は、ハウジング３の外側が内側よりも幅広になるように形成されており、小径部２７ａ及び大径部２７ｂを有している。具体的には、第６放音孔２７の配置位置においては、溝部７ｈが外装部材２１の配置側（図６の紙面左側）へ拡径されるとともに、スリット状の抜け穴状部分が支持部３ｐ側に形成されている（図５も参照）。そして、拡径部分は大径部２７ｂに、抜け穴状部分は小径部２７ａとなっている。なお、小径部２７ａ及び大径部２７ｂが形成されるように、第６放音孔２７の内周面のうち外装部材２１側の面に、段部７ｄが設けられていると捉えることもできる。
【００３５】
外装部材２１の切り欠き部２９は、例えば、周縁部２１ａが、第６放音孔２７の配置位置において、溝部７ｈの拡径に対応して、基部２１ｂ中央側へ屈曲することにより形成されている。その屈曲した周縁部２１ａは、第６放音孔２７へ挿入され、段部７ｄに対してハウジング３の外部側から内部側へ突き当てられている。
【００３６】
周縁部２１ａは、第６放音孔２７の大径部２７ｂの内周面のうち外装部材２１側（図６の紙面左側）の面に当接している。一方、周縁部２１ａの厚さは、段部７ｄの突出量よりも大きく、大径部２７ｂの径よりも小さい。従って、周縁部２１ａと、第６放音孔２７の小径部２７ａの内周面のうち支持部３ｐ側（図６の紙面右側）の面（縁部）との間には、小径部２７ａに連通し、第３放音孔１７の一部を構成する隙間が形成される。換言すれば、第６放音孔２７（又は小径部２７ａ）は、外装部材２１の周縁部２１ａにより、一部のみが覆われる。より詳細には、スリット状の第６放音孔２７（又は小径部２７ａ）は、スリットの長手方向に沿って延びる周縁部２１ａによりスリットの短手方向の一方側の部分が覆われる。
【００３７】
図８は、図５のＶＩＩＩ−ＶＩＩＩ線における断面図である。
【００３８】
リアケース７は、第２スピーカ３５を保持するための係止部４７を有している。係止部４７は、第２スピーカ３５の外周側に複数（本実施形態では２つ）設けられている。係止部４７は、ハウジング３の内部側へ突出している。係止部４７の先端には、第２スピーカ３５の外周側から内周側へ突出し、第２スピーカ３５に対してハウジング３の内部側から外部側へ係合して把持する爪部４７ａが形成されている。第２スピーカ３５は、例えば、防塵部材３７の枠部３９からの付勢力を受けつつ爪部４７ａに係止されることにより、リアケース７に固定される。
【００３９】
リアケース７の第２スピーカ３５に対向する対向部７ｃには、爪部４７ａに対向する開口部４９（図５も参照）が形成されている。開口部４９は、溶融樹脂を金型に充填する射出成形により、対向部７ｃ及び係止部４７（爪部４７ａを含む）を一体成形するときの押し切り穴である。すなわち、開口部４９は、爪部４７ａの、ハウジング３の外部側の面を形成する金型の突部１０１により形成される。図４及び図５に示すように、開口部４９は、外装部材２１により覆われる。
【００４０】
図９は、携帯電話機１の信号処理系の構成を示すブロック図である。
【００４１】
携帯電話機１は、ＣＰＵ７１，メモリ７３、通信処理部７５、音響処理部７７及び画像処理部７９を有している。これら各部は、例えば、ハウジング３内に設けられた不図示の回路基板に設けられた不図示のＩＣにより構成されている。
【００４２】
ＣＰＵ７１及びメモリ７３は、操作部１１等の各種手段からの信号に基づいて所定の演算を行い、画像処理部７９等の各種手段の制御を実行する制御部として機能する。
【００４３】
通信処理部７５は、高周波回路を含んで構成されている。通信処理部７５は、電波を利用した無線通信により、通信システム（電話網やインターネット）を介した他の携帯端末装置やサーバとの通信を行うために、ＣＰＵ７１で処理された音響データ、画像データ等の各種データを変調して、アンテナ８１を介して送信する。また、通信処理部７５は、アンテナ８１を介して受信した信号を復調してＣＰＵ７１に出力する。
【００４４】
音響処理部７７は、ＣＰＵ７１からの音響データを電気信号に変換して通話用の第１スピーカ８３、第２スピーカ３５に出力する。第１スピーカ８３及び第２スピーカ３５は、音響処理部７７からの電気信号を音響に変換して出力する。一方、マイクロフォン８７は、入力された音響を電気信号に変換して音響処理部７７に出力する。音響処理部７７は、マイクロフォン８７からの電気信号を音響データに変換してＣＰＵ７１に出力する。
【００４５】
画像処理部７９は、ＣＰＵ７１からの画像データを画像信号に変換して表示部１３等の表示部へ出力する。また、撮像部８９から出力される撮像信号（画像データ）を所定のフォーマットの画像データに変換してＣＰＵ７１へ出力する。
【００４６】
以上の実施形態によれば、携帯電話機１は、第６放音孔２７が形成されたハウジング３と、ハウジング３内に設けられ、第６放音孔２７を介して音響の出力を行う第２スピーカ３５と、ハウジング３の外側面に設けられ、周縁部２１ａにより第６放音孔２７（又は小径部２７ａ）の一部のみを覆う外装部材２１とを有することから、デザイン上の影響が少なく、音抜けのよいハウジング構造が実現される。すなわち、第６放音孔２７（第３放音孔１７）は、外装部材２１とハウジング３との境界と一体となって目立たない。その結果、例えば、第６放音孔２７（第３放音孔１７）を大きく（実施形態では周縁部２１ａに沿って長く）することができる。また、小径部２７ａを小さく（実施形態ではスリットの幅を狭く）することが難しい場合、例えば、射出成形において小径部２７ａを形成する金型の突部の小型化の限界により小径部２７ａを小型化することが難しい場合、外装部材２１により一部を覆うことにより、小径部２７ａの外観上の大きさを実質的に小さくすることができる。
【００４７】
外装部材２１は、第６放音孔２７を下方に向けてハウジング３を平面状の載置面ＰＳ１に載置したときに第６放音孔を載置面ＰＳ１から離間させるようにハウジング３を支持する突部を構成していることから（図３及び図６参照）、すなわち、外装部材２１は、携帯電話機１が平面状の載置面ＰＳ１に載置された状態においても第２スピーカ３５の音響を良好に出力させるための突部に兼用されることから、例えば、デザイン性の向上や部品点数の削減が図られる。しかも、第６放音孔２７は、突部（外装部材２１）の根元に形成されていることから、外装部材２１の突出量がそのまま第６放音孔２７の載置面ＰＳ１からの離間距離となり、離間距離の確保が容易である。
【００４８】
第６放音孔２７は、スリットであり、外装部材２１は、スリットの長手方向に沿って延びる周縁部２１ａによりスリットの短手方向の一方側の部分を覆うことから、第３放音孔１７の開口面積自体は大きくして音抜けを良くしつつ、第３放音孔１７の幅を小さく且つ周縁部２１ａに沿う形状にして目立たなくすることができる。
【００４９】
外装部材２１の周縁部２１ａは、スリットの短手方向の一方側（外装部材２１側）の部分に挿入されていることから、第６放音孔２７（大径部２７ｂ）は、外装部材２１の位置決め孔（溝）に兼用されることになる。従って、一層のデザイン性の向上及び構造の簡素化が図られる。さらに、外装部材２１の基部２１ｂをリアケース７の表面に直接的に又は接着部材４５等を介して間接的に支持させることにより、外装部材２１の基部２１ｂに加えられる荷重Ｆ（図７参照）をリアケース７に適切に逃がし、外装部材２１の破損を抑制できる。
【００５０】
ハウジング３は、スリット状の第６放音孔２７がハウジング３の内部側よりも外部側において幅広となるように、第６放音孔２７の内周面の一方側（外装部材２１側）の面から突出する段部７ｄを有し、外装部材２１の周縁部２１ａは、ハウジング３の外部側から内部側へ段部７ｄに突き当てられていることから、外装部材２１は、周縁部２１ａによってもハウジング３に支持されることになり、外装部材２１の荷重Ｆに対する強度をより向上させることができる。
【００５１】
ハウジング３は、第２スピーカ３５と対向する対向部７ｃと、対向部７ｃと一体成形され、対向部７ｃからハウジング３の内部へ伸び、先端側に第２スピーカ３５に対してハウジング３の内部側から外部側へ係合する爪部４７ａが形成された係止部４７と、を有し、対向部７ｃには、爪部４７ａに対向する開口部４９が形成されており、外装部材２１は、開口部４９を覆っていることから、第２スピーカ３５のリアケース７への取り付けが簡素な構成で容易に行われるとともに、爪部４７ａを対向部７ｃと一体成形するときの押し切り穴である開口部４９を隠す部材に外装部材２１が兼用されて、部品点数の削減等が図られる。
【００５２】
携帯電話機１は、ハウジング３の内部に設けられる撮像部８９を有し、ハウジング３には、撮像部８９を露出させる撮影窓３１が形成され、外装部材２１は、透光部１９を有し、透光部１９が撮影窓３１を覆うようにハウジング３に取り付けられていることから、撮像部８９及び第２スピーカ３５を隣接させて携帯電話機１の小型化が図られるとともに、外装部材２１が透光部１９の配置に利用され、組み立て容易性が向上する。
【００５３】
なお、以上の実施形態において、携帯電話機１は本発明の携帯電子機器の一例であり、第６放音孔２７又は小径部２７ａは本発明の音孔の一例であり、第２スピーカ３５は本発明の電気音響変換部の一例である。
【００５４】
本発明は、以上の実施形態に限定されず、種々の態様で実施されてよい。
【００５５】
携帯電子機器は、携帯電話機に限定されない。例えば、携帯電子機器は、携帯電話機、デジタルカメラ、ＰＤＡ、ゲーム機であってもよい。ハウジングは、ストレートタイプのものに限定されない。例えば、折り畳み式、水平ターン式、スライド式等の、２以上の筐体が相対移動可能に連結される形式のハウジングであってもよい。
【００５６】
電気音響変換部は、電気信号を音響に変換するスピーカに限定されない。換言すれば、音孔は、放音孔に限定されない。例えば、電気音響変換部は、音響を電気信号に変換するマイクロフォンであってもよいし、スピーカ及びマイクロフォンの機能を有するものであってもよい。換言すれば、音孔は、収音孔であってもよいし、放音孔及び収音孔の双方を兼ねるものであってもよい。また、スピーカ及びマイクロフォンは、永久磁石・コイル型のものに限定されず、リボン型のものやコンデンサ型のものであってもよい。
【００５７】
外装部材の大きさ、形状、位置、及び、用途は、適宜に設定されてよく、ハウジングの背面側に配置されるもの、ハウジングを平面に載置したときに音孔を浮かすようにハウジングを支持する突状のもの、又は、撮影窓や押し切り穴を覆うものに限定されない。例えば、外装部材は、単にデザイン上の観点からハウジングに取り付けられる意匠性の高い形状のものであってもよい。
【００５８】
音孔は、スリット状のものに限定されない。例えば、矩形や円形のものであってもよい。また、音孔は、外観上の小型化が要求されるものに限定されない。例えば、一体成形では形成することが困難な、意匠性の高い複雑な外観形状の音孔が、ハウジングに形成される音孔の形状と、外装部材の周縁部の形状との組み合わせにより、実質的に実現されてもよい。
【００５９】
音孔は、実施形態の第６放音孔２７のように、外装部材が挿入されることにより一部のみが覆われるものであってもよいし、実施形態の小径部２７ａのように、外装部材が挿入されずに一部のみが覆われるものであってもよい
【００６０】
電気音響変換部と音孔との位置関係は、電気音響変換部が音孔に対向する位置関係に限定されない。例えば、音孔に対向していないスピーカからの音響が、所定の部材により形成された音道を介して音孔に到達するように、スピーカが配置されてもよい。
【図面の簡単な説明】
【００６１】
【図１】本発明の実施形態に係る携帯電話機の正面側の外観斜視図。
【図２】図１の携帯電話機の背面側の外観斜視図。
【図３】図１の携帯電話機の側面図。
【図４】図１の携帯電話機の外装部材付近を拡大して示す平面図。
【図５】図１の携帯電話機のリアケースから外装部材を取り外して示す斜視図。
【図６】図４のＶＩ−ＶＩ線における断面図。
【図７】図４のＶＩＩ−ＶＩＩ線における断面図。
【図８】図５のＶＩＩＩ−ＶＩＩＩ線における断面図。
【図９】図１の携帯電話機の信号処理系の構成を示すブロック図。
【符号の説明】
【００６２】
１…携帯電話機（携帯電子機器）、３…ハウジング、２１…外装部材、２１ａ…周縁部、２７…第６放音孔（音孔）、３５…第２スピーカ（電気音響変換部）。
【図１】
2009290561.tif 000003
【図２】
2009290561.tif 000004
【図３】
2009290561.tif 000005
【図４】
2009290561.tif 000006
【図５】
2009290561.tif 000007
【図６】
2009290561.tif 000008
【図７】
2009290561.tif 000009
【図８】
2009290561.tif 000010
【図９】
2009290561.tif 000011